(57)【要約】【課題】吸収性が一段と優れ、体液がトップシートに保水することなく、短時間でドライタッチ感が得られ、また物品本体の厚さが薄く、コンパクトで取り扱いに便利な吸収性物品を提供すること。【解決手段】少なくとも、下層にセカンドシートを有する透液性のトップシートと、不透液性のバックシートと、前記トップシートと前記バックシート間に介在する吸収体とにより物品本体が形成された吸収性物品において、前記吸収体を前記セカンドシートと同一素材で複数層に構成し、両者を熱融着により一体化する。【選択図】                    図２
2004329510.tif 000002
【特許請求の範囲】
【請求項１】
少なくとも、下層にセカンドシートを有する透液性のトップシートと、不透液性のバックシートと、前記トップシートと前記バックシート間に介在する吸収体とにより物品本体が形成された吸収性物品において、前記吸収体を前記セカンドシートと同一素材で複数層に構成し、両者を熱融着により一体化して成ることを特徴とする吸収性物品。
【請求項２】
前記同一素材は、合成繊維であることを特徴とする請求項１に記載の吸収性物品。
【請求項３】
前記複数層の吸収体は、上層側より、前記合成繊維又は該合成繊維と高吸収性樹脂とから成る層と、前記高吸収性樹脂又は該高吸収性樹脂と前記合成繊維とから成る層と、前記合成繊維又は該合成繊維とパルプとから成る層とで構成されていることを特徴とする請求項１又は請求項２に記載の吸収性物品。
【請求項４】
前記吸収体は、全含有量が３０〜７０質量％の高吸収性樹脂を含むことを特徴とする請求項３に記載の吸収性物品。
【発明の詳細な説明】
【０００１】
【発明の属する技術分野】
本発明は、使い捨て紙おむつ、あるいは生理用ナプキン等の吸収性物品に関し、さらに詳細には、体液の吸収性及び液戻り防止の面で優れ、厚みの薄いコンパクトな吸収性物品に関する。
【０００２】
【従来の技術】
従来、このような吸収性物品、例えば図３に展開斜視図で、図４に図３のＡ−Ａ断面で示すようなテープ式の使い捨て紙おむつ１００は、使用目的により種々の形態のものが知られているが、その基本構成は大差のないものである。すなわち、このような紙おむつ１００は、通常、表面側、すなわち着用者の肌と当接する面側より順に、透液性を有するトップシート１０１、セカンドシート１０２、上部クレープ紙１０３ａ、吸収体１０４、下部クレープ紙１０３ｂ、防水フィルム１０５、及びバックシート１０６によりおむつ本体１００Ａが形成されている。なお、この使い捨て紙おむつ１００では、おむつ本体１００Ａの幅方向に、尿等の体液漏れ防止用の立体ギャザー１０７が設けられている。これらの各部品はホットメルト接着剤により相互に接着され、おむつ本体１００Ａが構成されている。
【０００３】
従来、トップシート１０１及びセカンドシート１０２には、ポリエステル，ポリプロピレン等から成る透液性の織布，不織布，多孔性フィルム等が用いられ、また、吸収体１０４には、主に綿状パルプ、高吸収性高分子物質等が用いられ、さらにまた、防水フィルム１０５及びバックシート１０６には、ポリエチレン等の不透液性フィルム、不透液性のフィルムに不織布や織布等を貼り合わせて成る素材が一般に用いられている。
【０００４】
しかし、このように構成された従来の使い捨て紙おむつ１００では、体液がトップシート１０１、セカンドシート１０２、上部クレープ紙１０３ａを介して吸収体１０４に吸収される速度が遅く、このため、セカンドシート１０２と吸収体１０４との間で保留された体液が、吸収体１０４からトップシート１０１へ逆戻り（ｗｅｔ  ｂａｃｋ）することがあり、表面がべとついてトップシート１０１のドライタッチ感が悪くなり、これにより着用者に不快感を与えていた。
【０００５】
そこで、このドライタッチ感を改良するために、熱圧着することにより上述したようなセカンドシート１０２と吸収体１０４とを一体化した吸収性物品が提案されている。（例えば、特許文献１参照。）
ところが、上記従来の使い捨て紙おむつ１００では、セカンドシート１０２は主としてポリエステルやポリプロピレン等の透液性の不織布や織布等から成る素材で構成され、吸収体１０４は主として綿状パルプや高吸収性高分子物質等の素材で構成されており、互いに異なる素材であったため両者を熱圧着により一体化したときに、両者間の接着力が低減され、この結果排尿後等にセカンドシート１０２と吸収体１０４とが剥がれてしまい、体液が逆戻りするという事態が発生していた。このように体液が逆戻りすると、着用者に不快感を与え、また着用者が特に乳幼児である場合には、皮膚がかぶれる原因ともなっていた。
【０００６】
また、吸収体１０４には、吸収力を高める目的で多量の綿状パルプが使用されていることからおむつ本体１００Ａが分厚くなり、このため、着用者にゴワゴワした感じを与え、また、携行時等には嵩張って取り扱いが大変不便であった。
【０００７】
【特許文献１】
特開平８−３２２８８１号公報
【０００８】
【発明が解決しようとする課題】
本発明は、上述したような実情に鑑みてなされたものであり、その目的とするところは、吸収性が一段と優れ、体液がトップシートに保水することなく、短時間でドライタッチ感が得られ、また物品本体の厚さが薄く、コンパクトで取り扱いに便利な吸収性物品を提供することである。
【０００９】
【課題を解決するための手段】
本発明の上記目的は、少なくとも、下層にセカンドシートを有する透液性のトップシートと、不透液性のバックシートと、前記トップシートと前記バックシート間に介在する吸収体とにより物品本体が形成された吸収性物品において、前記吸収体を前記セカンドシートと同一素材で複数層に構成し、両者を熱融着により一体化して成ることを特徴とする吸収性物品を提供することによって、達成される。
【００１０】
また、本発明の上記目的は、前記同一素材は、合成繊維であることを特徴とする吸収性物品を提供することによって、より効果的に達成される。
【００１１】
また、本発明の上記目的は、前記複数層の吸収体は、上層側より、前記合成繊維又は該合成繊維と高吸収性樹脂とから成る層と、前記高吸収性樹脂又は該高吸収性樹脂と前記合成繊維とから成る層と、前記合成繊維又は該合成繊維とパルプとから成る層とで構成されていることを特徴とする吸収性物品を提供することによって、より効果的に達成される。
【００１２】
さらにまた、前記吸収体は、全含有量が３０〜７０質量％の高吸収性樹脂含むことを特徴とする吸収性物品を提供することによって、より効果的に達成される。
【００１３】
【発明の実施の形態】
以下、本発明の好ましい実施形態について、図面を参照しながら詳細に説明する。
【００１４】
図１は本発明に係る吸収性物品の一例である使い捨て紙おむつ２００の展開斜視図、図２は図１のＢ−Ｂ断面図である。なお、本使い捨て紙おむつ２００は、構成の一部、すなわち後述するセカンドシート２０２と吸収体２０４の構成を除くその他の構成は前述した従来の紙おむつ１００と実質的に同一である。このため、以下では、前記従来の使い捨て紙おむつ１００と対応する構成要素に２００番台の対応する同一番号を付して説明する。
【００１５】
本使い捨て紙おむつ２００は、表面側より順に、トップシート２０１、セカンドシート２０２、吸収体２０４、クレープ紙２０３、防水フィルム２０５、及びバックシート２０６でおむつ本体２００Ａが形成されている。なお、防水フィルム２０５は必要に応じ設けられるもので、必ずしも必要ではない。また、おむつ本体２００Ａの幅方向には、体液漏れ防止用の立体ギャザー２０７が設けられており、長手方向上側部、すなわち背部側両端部にはファスニングテープ２０８が取り付けられている。本紙おむつ２００は着用者の股間部に装着された後、このファスニングテープ２０８を前身頃の腹部位置に止着して使用される。
【００１６】
本紙おむつ２００では、セカンドシート２０２と吸収体２０４とが同一の合成繊維素材で構成され、両者は熱融着により一体化されている。この合成繊維としては、例えばポリエチレン又はポリプロピレン等のオレフィン系、ポリエステル系、ポリアミド系の合成繊維が適用される。なお、セカンドシート２０２はトップシート２０１から吸収された体液を拡散する拡散層の機能を有しているもので、本実施例ではこれを第１層（拡散層）と呼称する。
【００１７】
また、図２に示すように、本紙おむつ２００では体液を保持する保持層の機能を有する吸収体２０４が３層（第２層〜第４層）で構成されている。その第２層（保持層）は、セカンドシート２０２と同一素材の合成繊維、又はこの合成繊維と高吸収性樹脂（Ｓｕｐｅｒ  Ａｂｓｏｒｂｅｎｔ  Ｐｏｌｙｍｅｒ、以下、「ＳＡＰ」という。）とにより、また、第３層（保持層）は、前記ＳＡＰ、又は前記合成繊維と前記ＳＡＰとにより構成され、第４層（保持層）は、前記合成繊維、又は前記合成繊維とパルプとにより夫々構成されている。このように構成された吸収体２０４の下層にはクレープ紙２０３によって第５層が形成されている。
【００１８】
なお、吸収体２０４は３層に限らず、必要に応じ、層数を適宜に増減することができる。
【００１９】
なお、吸収体２０４に含有する前記ＳＡＰの含有量は３０〜７０質量％であることが望ましい。
【００２０】
本紙おむつ２００は、以上のとおり構成され、セカンドシート２０２と吸収体２０４とが熱融着されているので両者間には空隙が形成されず、このため第１層（拡散層）から第２層〜第４層（保持層）への体液の流れが円滑となる。なお、本発明者の実験によれば、この体液の流速は常圧吸収速度で約３０ｓｅｃ以下であることが確認されている。このため、体液がトップシート２０１上に保水することがなくなるので、本紙おむつ２００によれば表面がべとつかず、さらさらとしたドライタッチ感を着用者に与えることができる。
【００２１】
また、セカンドシート２０２と吸収体２０４とが同一素材で構成され、熱融着により両者間の接着力が強化されるので、排尿後にセカンドシート２０２と吸収体２０４とが剥離することがなくなる。また、前述したように、両者間には空隙が形成されないので、排尿後であっても体液の吸収体２０４への吸収速度を維持することができ、液戻りがあったとしても、その量を例えば３ｇ以下の極めて少量とすることができる。
【００２２】
また、吸収体２０４に合成繊維を用いたので、吸収体２０４の厚さを極めて薄く、例えば０．５ｇ／ｃｍ２荷重下の厚みが３ｍｍ以下と薄くすることができ、これにより着用時のゴワゴワ感や、携行時の嵩張りをなくすことができる。
【００２３】
また、吸収体２０４に合成繊維を用いたので、吸収体２０４に強度を持たせることができる。
【００２４】
さらにまた、上述のように大変薄い吸収体であっても、圧力が例えば２．０６８５×１０３Ｐａの加圧下における吸収量は５２０ｇ以上となり、従来の吸収体と同量、又はそれ以上の吸収量である吸収体が得られることが確認されている。
【００２５】
以上、本発明の内容を吸収性物品がテープ式の使い捨て紙おむつを例に説明したが、本発明はこの外、パンツ式の使い捨て紙おむつ、尿取りパッド、生理用ナプキン、あるいは失禁者用パンツ等の公知の吸収性物品についても適用できることはいうまでもない。
【００２６】
【発明の効果】
以上に詳述したように、本発明に係る吸収性物品によれば、セカンドシートと吸収体とを熱融着により接着し一体化したので、拡散層であるセカンドシートから保持層である吸収体への体液の流れが円滑となり、体液がトップシートに保水しなくなる。このため、本発明に係わる吸収性物品によれば、着用者にドライタッチ感を与えることができる。
【００２７】
また、吸収体が少なくともセカンドシートと同一素材の合成繊維で構成されているので、熱融着により両者を接着すると、両者が強固に接着され排尿等によりセカンドシートと吸収体とが剥がれることがなくなると共に、体液の逆戻りを防止することができる。
【００２８】
さらに、吸収体を合成繊維により形成することにより吸収量及び強度が増大され、これにより厚みが非常に薄いコンパクトな吸収体を得ることができる。従って、本発明によれば、着用時における着用者の不快感を除去できると共に、携行時等にも非常に便利な吸収性物品を提供することができる。
【図面の簡単な説明】
【図１】本発明の実施例に係る紙おむつの展開斜視図である。
【図２】図１のＢ−Ｂ断面図である。
【図３】従来の紙おむつの展開斜視図である。
【図４】図３のＡ−Ａ断面図である。
【符号の説明】
１００，２００        紙おむつ
１００Ａ，２００Ａ    おむつ本体
１０１，２０１        トップシート
１０２，２０２        セカンドシート
１０４，２０４        吸収体
１０５，２０５        防水フィルム
１０６，２０６        バックシート
【図１】
2004329510.tif 000003
【図２】
2004329510.tif 000004
【図３】
2004329510.tif 000005
【図４】
2004329510.tif 000006